(57)【特許請求の範囲】
【請求項１】
複数の反応容器を保持する反応容器保持機構と、
分注プローブを用いて吸引した分析用液体を前記反応容器内に分注する分注機構と、
前記分注機構の分注プローブに洗浄液を供給する洗浄液供給手段とを備えた自動分析装置において、
前記分注機構の分注プローブ、分注プローブ近傍、及び分注プローブに通じる配管流路の少なくとも一部に高温加熱手段を備え、
前記分注プローブを洗浄する際、
前記高温加熱手段により、分注プローブ内、又は分注プローブに通じる配管流路内の洗浄液を加熱して沸騰させ、膨脹した蒸気により生じた高圧によって浄液液及び分析用液体を分注プローブの先端から排出するようにしたことを特徴とする自動分析装置。
【請求項２】
前記高温加熱手段により加熱する個所を複数設けたことを特徴とする請求項１に記載の自動分析装置。
【請求項３】
前記高温加熱手段を複数設けたことを特徴とする請求項１に記載の自動分析装置。
【発明の詳細な説明】
【０００１】
【発明の属する技術分野】
本発明は、臨床医学、生物学等の各種分野において種々の検査を実施するための自動分析装置に係り、特に分注プローブを洗浄するようにした自動分析装置に関する。
【０００２】
【従来の技術】
臨床検査等において、自動分析装置を用いることにより通常、多くの患者から得た異なる多数の検体、例えば、尿、血清、血漿、血球等（以下、総称してサンプルと呼ぶ）につき、種々の検査項目に関して連続的に多数の検査がなされる。かかる検査では多種類のサンプルを取り扱うと同時に、各検査項目に応じて多種多様な検査方法が採用されることから、その検査過程で用いられる試薬の種類も種々多様なものを取り扱うのが普通である。
【０００３】
自動分析装置としては、例えば人体の血清等をサンプルとして用い、これを反応容器に分注し、さらに所定の試薬を分注して、サンプルと所定の試薬を混合して両者の反応状態を検出する。そして、反応容器へのサンプルおよび試薬の分注には分注プローブが使用される。この分注プローブは使用の都度、洗浄手段により洗浄がなされる。このように自動分析装置は分注プローブを用いて複数のサンプル・試薬を分注するため、その都度、分注プローブを洗浄する必要がある。分注プローブの洗浄が不十分な場合にはサンプル間のキャリーオーバーや試薬間のクロスコンタミネーションを起こし、測定結果の信頼性を損なうことになる。
【０００４】
そこで、一般にはサンプル間のキャリーオーバーや試薬間のクロスコンタミネーションを防ぐために、大量の水を使用して分注プローブの洗浄を行っている。また、分注プローブの洗浄能力を高めるために、洗浄剤を用いる方法（特開平7-280813号公報）・オゾンガスを用いる方法（特開平6-288879号公報）、超音波振動を用いる方法（特開平4-9670号公報、特公平5-16746 号公報）等の手段が提案されている。
【０００５】
また、特開昭51-10885号公報および実開昭56-172762 号公報では冷蔵されている試薬等を分注する際に試薬等の温度を反応温度近傍まで高めるるために加温する加温手段を流路に設けている。
【０００６】
【発明が解決しようとする課題】
近年、自動分析装置はより高いスループットと、より低いランニングコストが求められている。また、生化学と免疫項目の測定を一台の装置で実施する取り組みも盛んであり、そのためにはサンプル間のキャリーオーバーを極力減らす必要がある。また、一台の装置で多項目を分析する必要があるため、試薬間のクロスコンタミネーションも問題となる。特に、近年、これらの検査は著しく高感度化されてきているため、複数種類のサンプルや試薬を移送する分注プローブの洗浄が益々重要になってきている。
【０００７】
分注プローブの洗浄効果を上げるには、十分な時間をかけて洗浄を行えばよいが、装置の動作サイクルは年々短くなっており、それに伴い、分注プローブの洗浄時間を十分に確保することは困難になってきている。また、決められた時間内で洗浄効果を上げるには単位時間当たりの流量を増加させればよいが次の点で問題がある。
【０００８】
分注プローブの内径や先端部は細いので、流量を増加させるには数kgf/cm2 〜１０kgf/cm2 程度の高い圧力が必要であり、その実現のためにはポンプや電磁弁・配管系に大きな負荷が掛かるので、装置が大がかりになり、コストが掛かってしまう。また、分注プローブの洗浄に使用する洗浄液の単位時間当たりの量も増加すると、大量の廃液が生じ、その廃液の処置に掛かるコストが増加する。大量の産業廃液の発生は社会的にも重大な問題を招き、安易に洗浄液量を増加させることはできない。
【０００９】
上記の問題を解決するために超音波洗浄装置による洗浄や洗剤・オゾンガスによる洗浄などが提案されているが、これらの方式では装置が複雑になる、ランニングコストがかかる、洗浄時間が長くなる、または余分に動作サイクルを必要としてスループットが低下するなどの欠点があった。
【００１０】
本発明は以上のような課題に着目してなされたものであり、その目的とするところは、比較的簡単な構成でありながら、短時間で効率良く分注プローブを洗浄することができると共に、低いランニングコストで済むプローブ洗浄機構を有した自動分析装置を提供することにある。
【００１１】
【課題を解決するための手段および作用】
本発明は、複数の反応容器を保持する反応容器保持機構と、分注プローブを用いて吸引した分析用液体を前記反応容器内に分注する分注機構と、前記分注機構の分注プローブに洗浄液を供給する洗浄液供給手段とを備えた自動分析装置において、前記分注機構の分注プローブ、分注プローブ近傍、及び分注プローブに通じる配管流路の少なくとも一部に高温加熱手段を設け、前記分注プローブを洗浄する際、前記高温加熱手段により、分注プローブ内、又は分注プローブに通じる配管流路内の洗浄液を加熱して瞬時に沸騰させ、その沸騰により急激に膨脹した蒸気の体積変化によって生じた高圧および蒸気・気泡によりその洗浄液及び残留しているサンプルや試薬等の分析用液体を分注プローブの先端から排出するようにしたものである。
【００１２】
一般に、短時間に分注プローブの内部を洗浄するにはそのプローブ内部の汚れおよび汚れた液を速やかに且つ確実に排出する必要がある。本発明ではそのために、分注プローブ、分注プローブ近傍、及び分注プローブに通じる配管流路の少なくとも一部に高温加熱手段を設け、その分注プローブ内、又は分注プローブに通じる配管流路内の洗浄液を瞬時に沸騰させ、その急激に膨脹する蒸気の体積変化によって生じる高い圧力および蒸気・気泡により、分注プローブ内部のサンプル・試薬等の分析用液体と洗浄液を速やかに効率良く分注プローブ外に排出するようにしたものである。
【００１３】
また、洗浄液が沸騰して発生した高温の蒸気により分注プローブに付着した蛋白質の免疫特異性（抗体活性）酵素活性を失わせて、コンタミネーションの影響を防止すると共に、分注プローブを常に衛生的に保つことも期待できる。
【００１４】
さらに、本発明では、高温加熱手段により加熱する個所を複数設けた。この場合は沸騰による洗浄液の勢い良い排出が複数回得られる。また、気液境界による汚れの擦り取り作用が繰り返され、分注プローブの洗浄能力がより一層高まる。
【００１５】
【発明の実施の形態】
（第１実施形態）
図１及び図２を参照して、本発明の第１実施形態に係る臨床検査用自動分析装置を説明する。図１（Ａ）はその自動分析装置の分注プローブ部の説明図、図１（Ｂ）はその分注プローブの加熱位置の説明図、図２は自動分析装置を概略的に示す平面図である。
【００１６】
図２において、１は装置本体であり、装置本体１の中央部位には複数の反応容器を保持して搬送する反応容器保持機構、ここでは反応テーブル（ディスク）２が配置されている。この反応テーブル２側方の双方には分析用液体であるサンプルと試薬が夫々収納されており、その片方側にはサンプル収納部３が配置され、他方側には試薬収納部４が配置されている。反応テーブル２とサンプル収納部３の間にはサンプル分注プローブ用洗浄部５とサンプル分注機構６が設けられている。また、反応テーブル２と試薬収納部４の間には試薬分注プローブ用洗浄部７と試薬分注機構８が設けられている。
【００１７】
反応テーブル２はその周部に同一円周上に位置して複数の反応容器１１を保持している。反応テーブル２は図示しない駆動装置により一定周期で間欠的に回転駆動させられると共に、選ばれた反応容器１１をサンプル分注位置Ｐ1 または試薬分注位置Ｐ2 に停止させることができるようになっている。反応テーブル２は図示しない恒温槽で囲まれ、その反応テーブル２と反応容器１１が一定温度に保たれている。また、反応テーブル２における各反応容器１１の位置はそれぞれ制御装置の記憶部において記憶されている。
【００１８】
サンプル収納部３は複数のサンプル容器１５を装填したマガジンテーブル１６を有している。各サンプル容器１５には分析対象のサンプルが収納されている。サンプルとしては採取された血液（適宜分離された血清等の成分を含む）、尿、細胞可溶化溶液、糞便溶解液、培養細胞液等を含むものである。マガジンテーブル１６は前述した反応テーブル２の場合と同様に、図示しない駆動装置により一定周期で間欠的に回転駆動させられると共に、選択されたサンプル容器１５をサンプル吸引位置Ｐ3 に停止させ得るようになっている。サンプル収納部３における各サンプル容器１５の位置はそれぞれ制御装置の記憶部において記憶されている。
また、反応テーブル２の周辺部にはそれぞれ図示しない、サンプル・試薬の攪拌装置、反応液の特性を測定する測定装置等が設けられている。
【００１９】
試薬収納部４には複数の試薬容器２１を装填した試薬テーブル（試薬トレイ）２２が設けられている。各試薬容器２１には要求される分析項目に必要な試薬がそれぞれ個別的に収納されている。試薬としては生化学的な検査方法に限らず、抗原抗体反応を用いる免疫学的な方法、ＤＮＤやＲＮＡの相補的結合ないし合成反応を用いる方法、または電気泳動による検査方法等に応じての、多種多様なものを含み、通常は液状のものが用いられる。
【００２０】
各試薬容器２１及び試薬テーブル２２は図示しない冷却器で一定の温度で保冷されている。この試薬テーブル２２も前述した反応テーブル２の場合と同様に、図示しない駆動装置により間欠的に回転駆動させられると共に、選択した試薬容器２１を試薬吸引位置Ｐ4 に停止させ得るようになっている。試薬テーブル２２上の各試薬容器２１の位置はそれぞれ制御装置の記憶部に記憶されている。
【００２１】
前記サンプル分注機構６及び前記試薬分注機構８は機構的に同様な構成のものである。このため、それらの構成を図１を参照して統一的に説明する。つまり各分注機構６，８は回動アーム２５と、この回動アーム２５の回動先端から垂下するように吊持された分注プローブ２６と、回動アーム２５に回動及び昇降動作を行わせる駆動装置２７とを有する。分注プローブ２６は耐熱性のある金属・セラミック等の材料、ここではステンレスを用いて真っ直ぐなパイプ状に形成されている。分注プローブ２６の先端ノズル２８の部分は他の部分よりも細く形成されている。また、分注プローブ２６としては熱伝導性の良い金属等の材料がより望ましいものである。
【００２２】
さらに分注プローブ２６はチューブ３１を介してポンプ等の吸引吐出圧発生装置３２に接続されている。ここでの吸引吐出圧発生装置３２はシリンダ３３とピストン３４によって構成されている。ピストン３４は図示しない駆動手段によって操作される。また、シリンダ３３には電磁弁からなる注入弁３６及び吐出ポンプ３７を介して液体容器３５が接続されている。液体容器３５には押し出し液を兼ねた洗浄液が収納されている。これらによって前記分注プローブ２６に洗浄液を供給する洗浄液供給手段を構成している。この洗浄液としてはイオン交換水、脱気水または洗剤液等が用いられる。
【００２３】
一方、分注プローブ２６は前記駆動装置２７により回動アーム２５を操作することによって双方向への回動及び上下へ昇降動がなされる。そして、サンプル分注機構６の分注プローブ２６は反応テーブル２上のサンプル分注（吐出）位置Ｐ1 と、サンプル収納部３のサンプル吸引位置Ｐ3 と、サンプル分注プロープ用洗浄部５の位置にわたる軌跡上を移動させられる。また、試薬分注機構８の分注プローブ２６は反応テーブル２上の試薬分注（吐出）位置Ｐ2 と、試薬収納部４の試薬吸引位置Ｐ4 と、試薬分注プローブ用洗浄部７の位置にわたる軌跡上を移動させられる。
【００２４】
また、図１（Ａ）で示すように、分注プローブ２６がその洗浄部５，７の洗浄槽９上に位置するとき、その分注プローブ２６は加熱位置ａと洗浄位置ｂのいずれかを選択できる。分注プローブ２６が加熱位置ａに位置したとき、その分注プローブ２６の中途部に隣接するように高温加熱装置４１が設置されている。この高温加熱装置４１は加熱位置ａに位置した分注プローブ２６の中途部位を短時間で、高温加熱し、内部の洗浄液を瞬時に沸騰させるためのものである。高温加熱装置４１の熱源としては例えばガスバーナー、赤外線ヒーター、近赤外線ヒーター、電磁誘導加熱装置等が考えられる。高温加熱装置４１は分注プローブ２６の中途部位の高温加熱部を加熱するとき、その分注プローブ２６内の洗浄液が少なくとも局所的に瞬時に沸騰して蒸気が急激に膨張するように設計されている。高温加熱装置４１は固定的に設置されており、図１（Ｂ）で示す如く、高温加熱装置４１による分注プローブ２６の加熱点ｃはサンプル・試薬吸引時のサンプル・試薬の上限ｄよりも上部に位置するように設定してある。
【００２５】
次に、この臨床検査用自動分析装置の作用について述べる。まずサンプル分注機構６と試薬分注機構８の各分注プローブ２６内に押し出し液が供給される。つまり、制御装置の制御により、分注プローブ２６を洗浄部５，７の洗浄槽９上に位置させた状態で注入弁３６を開き、吐出ポンプ３７を動作させて液体容器３５内の洗浄液を送り出す。すると、洗浄液は吸引吐出圧発生装置３２のシリンダ３３の空間部を通りチューブ３１を通じて分注プローブ２６に送り込まれ、その分注プローブ２６内を洗浄液で満す。この後、注入弁３６を閉じる。この状態で、吸引吐出圧発生装置３２のピストン３４を図示しない駆動手段で操作すれば、分注プローブ２６の先端ノズル２８の部分に、サンプルや試薬を吸引し、それらの吐出を行わせることができる。つまり、ピストン３４を引く操作をすれば、サンプルや試薬の吸引がなされ、ピストン３４を押し込む操作をすれば、吸引したサンプルや試薬を吐出することができる。このように洗浄液を押し出し液としてこれに適量の吸引圧または吐出圧を加えて分注プローブ２６の先端ノズル２８からサンプルや試薬の吸引または吐出を行うことができる。そして先端ノズル２８の先端まで洗浄液を満たした状態でサンプルや試薬の吸引を行うまで待機させる。
【００２６】
一方、反応テーブル２は間欠的に回転駆動され、分析に使用する特定の反応容器１１がサンプル分注位置Ｐ1 及び試薬分注位置Ｐ2 に、順次間欠的に停止させられる。そこで、サンプル収納部３では分析が依頼された所望のサンプルを収納したサンプル容器１５がサンプル吸引位置Ｐ3 に停止し、このサンプル吸引位置Ｐ3 にサンプル分注機構６の分注プローブ２６が移動する。そして、分注プローブ２６の先端ノズル２８が降下し、そのサンプル容器１５のサンプルの液面に接触した位置から数ｍｍ程度降下した所で停止し、ピストン３４の引き込み動作が行われて、分注プローブ２６に所定量のサンプルを吸引採取する。この後、再び回動アーム２５が上昇および回動し、反応テーブル２のサンプル分注位置Ｐ1 にある反応容器１１上まで分注プローブ２６を移動し、その先端ノズル２８の部分が反応容器１１内に入るまで降下し、ピストン３４の押し込み動作で、その反応容器１１内に所定量のサンプルを注入する。
【００２７】
また、試薬収納部４では分析依頼された項目に該当する所望の試薬を収納した試薬容器２１が試薬吸引位置Ｐ4 に停止し、この試薬吸引位置Ｐ4 上に試薬分注機構８の分注プローブ２６が移動する。そして、分注プローブ２６の先端ノズル２８が降下し、試薬容器２１の試薬液面から数ｍｍ程度降下した所で停止する。ピストン３４の引き込み動作で、分注プローブ２６には所定量の試薬が吸引採取される。この後、再び回動アーム２５が上昇および回動し、反応テーブル２の試薬分注位置Ｐ2 にある反応容器１１上まで分注プローブ２６が移動し、その先端ノズル２８の部分が反応容器１１内に入るまで降下し、ピストン３４の押し込み動作で、その反応容器１１内に所定量の試薬を注入する。
【００２８】
このような手順で、反応テーブル２の反応容器１１内にはサンプルと試薬がそれぞれ分注され、反応液が作成される。そして、反応テーブル２により搬送される間、恒温槽での一定温度下で所定時間経過し、測定位置に搬送され、反応容器１１内の反応液は分析依頼された分析項目に応じた所定の波長で吸光度の変化等が測定される。この測定値と分析項目に応じた濃度換算係数によって分析データを算出し、図示しないプリンターから分析データを出力する。また、ＣＲＴに表示してモニターする。
【００２９】
サンプル分注機構６と試薬分注機構８での、サンプル及び試薬の採取および分注に使用された分注プローブ２６はその使用の都度、洗浄される。つまり、サンプル・試薬の分注を終えた分注プローブ２６はプローブ洗浄部５，７の加熱位置ａに移動する。このとき、高温加熱装置４１はそのプローブ２６の中途部位に位置する高温加熱部位を高温で加熱する。すると、分注プローブ２６の内部に残留する押し出し液が瞬時に沸騰して蒸気となって瞬時に膨張するので、その体積変化によって生じる高い圧力および蒸気・気泡により、先端ノズル２８の部分に残留するサンプル・試薬は押し出され、分注プローブ２６内の押し出し液は先端ノズル２８の部分より勢い良く洗浄槽９の中に排出される。この際、分注プローブ２６の内部は勢い良く排出する押し出し液によって洗浄される。その後、分注プローブ２６は速やかに洗浄位置ｂに移動し、さらに下降して吐出ポンプ３７により供給される洗浄水により、プローブ内側が、洗浄槽９に供給される洗浄液により分注プローブ２６が洗浄される。また、吐出ポンプ３７によって供給される洗浄水により、熱せられた分注プローブ２６は冷却される。以上の如くの高温加熱装置４１による洗浄動作により短時問で効率の良い分注プローブ２６の洗浄が実施できる。
【００３０】
また、押し出し液（洗浄液）が沸騰して発生した高温の蒸気により、分注プローブに付着した蛋白質の免疫特異性（抗体活性）酵素活性を失わせて、コンタミネーションの影響を防止すると共に、分注プローブを常に衛生的に保つことも期待できる。
【００３１】
尚、本実施形態では加熱位置ａと洗浄位置ｂを分けたが、高温加熱装置４１の加熱時間等を制御することにより、加熱位置ａと洗浄位置ｂを同一とすることも可能なものである。
また、洗浄位置における分注プローブ２６の加熱点ｃは洗浄効果を高めるために、図１（Ｂ）で示す如く、サンプル・試薬量吸引時のサンプル・試薬の上限ｄよりも上部であることが望まれるが、この上限ｄよりも下部であっても洗浄可能なものである。この場合、上限ｄよりも下部の位置に洗浄液を位置させた時点で加熱するようにすれば、洗浄効果が高まる。また、加熱点ｃの位置は固定としても良いが、吸引サンプル・試薬量に応じて変更できる可変可能なものであっても良い。
【００３２】
（第２実施形態）
図３を参照して本発明の第２実施形態を説明する。本実施形態では分注機構における分注プローブ２６の加熱点の位置に高温加熱装置４２を装着するようにしたものである。この場合の高温加熱装置４２としては分注プローブ２６に対する装着のし易さからすれば、例えば発熱半導体・電熱線・シートヒーター等が望ましい。この実施形態では高温加熱装置４２が分注プローブ２６に一体的に組み付けるので、高温加熱装置４２から分注プローブ２６への熱伝達効率が良い。その他は前述した第１実施形態のものと同じである。
【００３３】
（第３実施形態）
図４を参照して本発明の第３実施形態を説明する。本実施形態では分注プローブ２６に通じる配管流路４３の途中に内腔を形成した高温加熱部４４を設け、この高温加熱部４４に前述したような高温加熱装置４５を装着するようにしたものである。この場合の高温加熱装置４５の熱源としては例えば電磁誘導加熱装置・発熱半導体・電熱線・シートヒーター等が考えられる。高温加熱部４４内の洗浄液は瞬時に沸騰して蒸気となって膨脹するので、高温加熱部４４から分注プローブ２６までの間に存在する残留サンプル・試薬や洗浄液は勢い良くノズル先端部２７より洗浄槽９の中に排出される。その後、速やかに分注プローブ２６内に洗浄液を流し、分注プローブ２６の内部及び外部を洗浄する。高温加熱部４４の内腔の大きさは任意に選択でき、発生させる蒸気の量はその内腔の大きさによって決まる。一般的に高温加熱部４４の内腔を、配管流路４３の内孔より大きくすれば膨脹能力がさらに大きくなるので、高温加熱部４４から分注プローブ２６の先端までの流路の容量によって、最適な量を決定することができる。また、この実施形態では分注プローブ２６は耐熱性のないテフロン等の材質でも良くなる。その他は前述した第１実施形態のものと同じである。
【００３４】
（第４実施形態）
図５を参照して本発明の第４実施形態を説明する。本実施形態では分注機構における分注プローブ２６に、複数の高温加熱装置４６ａ，４６ｂ，４６ｃを、間隔をあけて装着するように設けたものである。洗浄時においては高温加熱装置４６ａ，４６ｂ，４６ｃの順、つまり先端ノズル２８に近い箇所から上側（基端側）の順に作動して加熱動作を行うことにより、沸騰による洗浄液の勢い良い排出を複数回得られ、また気液境界による汚れの擦り取り効果も複数回得られるので、より一層の洗浄能力の向上が可能となる。
【００３５】
勿論、複数の高温加熱装置４６ａ，４６ｂ，４６ｃは分注プローブ２６に装着することなく、第１実施形態のように、プローブ洗浄位置においてその分注プローブ２６の近傍に位置するように、複数の高温加熱装置４６ａ，４６ｂ，４６ｃを上下に間隔をあけて設置するようにしても良い。この場合にも先端ノズル２８に近い箇所のものから上側（基端側）の順に作動して加熱動作を行うように各高温加熱装置４６ａ，４６ｂ，４６ｃの駆動を制御すると良い。
また、第３実施形態のように配管流路４３の途中に複数の高温加熱装置を設けても良い。その他は前述した第１実施形態のものと同じである。
【００３６】
（第５実施形態）
図６を参照して本発明の第５実施形態を説明する。本実施形態では前述した第１実施形態と同じ構成の装置において、図６の様に分注プローブ２６の下降時の動作を位置ａ、ｂ、ｃの順番に一旦停止する様に制御する。また、分注プローブ２６に隣接して高温加熱装置４７を設ける。そして、分注プローブ２６の下降時における各停止の都度、高温加熱装置４７を動作し、分注プローブ２６の部分を加熱する。このことにより沸騰による洗浄液の勢い良い排出を複数回得られるようになる。また、分注プローブ２６の下降時に沸騰による洗浄液の勢い良い排出が複数回得られると共に、気液境界による汚れの擦り取り効果も複数回得られるので、より一層の洗浄能力の向上が可能となる。その他は前述した第１実施形態のものと同じである。
【００３７】
本発明は前述した実施形態のものに限定されるものではない。また、各実施形態の説明によれば、以下に記す事項及びその任意に組み合わせの事項のものが得られる。
【００３８】
［付記］
１．サンプルと試薬を反応させる複数の反応容器を保持する反応テーブルと、分注プローブを用いてこの分注プローブに吸引したサンプル・試薬を前記反応容器内に分注する分注機構と、この分注機構の分注プローブに洗浄液を供給する供給手段と、前記分注機構の分注プローブ、分注プローブの近傍、及び分注プローブに通じる配管流路の少なくとも一部に設けられた高温加熱手段とを具備し、分注プローブを洗浄する際、前記高温加熱手段により、分注プローブ内の洗浄液またはその分注プローブに通じる配管流路内の洗浄液を加熱して沸騰させ、膨脹した蒸気により生じた高圧によって、洗浄液及びサンプル又は試薬を分注プローブの先端から排出するようにしたことを特徴とする自動分析装置。
【００３９】
２．第１項のものにおいて、高温加熱手段で加熱される高温加熱部は耐熱性部材で作られていることを特徴とする自動分析装置。
３．第１項のものにおいて、高温加熱手段は分注プローブ内の洗浄液またはその分注プローブに通じる配管流路内の洗浄液を瞬時に高温に加熱できる高温加熱部を設けたことを特徴とする自動分析装置。
４．第１項のものにおいて、高温加熱手段または高温加熱手段により加熱される高温加熱部を複数設けたことを特徴とする自動分析装置。
５．第１項のものにおいて、分注プローブ内に供給される洗浄液はイオン交換水、脱気水及び洗剤液の一つであることを特徴とする自動分析装置。
【００４０】
【発明の効果】
以上説明したように本発明によれば、短時問で効率の良い分注プローブの洗浄が実現できる。さらに比較的簡単な構成で済むと共に、低いランニングコストで済む自動分析装置を提供することができる。
【図面の簡単な説明】
【図１】（Ａ）は第１の実施形態に係わる自動分析装置の分注プローブ部の説明図、
（Ｂ）はその自動分析装置のプローブ洗浄部の説明図。
【図２】第１の実施形態に係わる自動分析装置を概略的に示す平面図。
【図３】第２の実施形態に係わる自動分析装置のプローブ洗浄部の説明図。
【図４】第３の実施形態に係わる自動分析装置の分注プローブ部の説明図。
【図５】第４の実施形態に係わる自動分析装置の分注プローブ部の説明図。
【図６】第５の実施形態に係わる自動分析装置の分注プローブ部の説明図。
【符号の説明】
１…装置本体、２…反応テーブル（ディスク）、３…サンプル収納部、４…試薬収納部、５…プローブ用洗浄部、６…サンプル分注機構、７…試薬分注プローブ用洗浄部、８…試薬分注機構、反応容器１１、２５…回動アーム、２６…分注プローブ、２７…駆動装置、２８…先端ノズル、３２…吸引吐出圧発生装置、３３…シリンダ、３４…ピストン、３５…液体容器、３６…注入弁、３７…吐出ポンプ、４１…高温加熱装置、４２…高温加熱装置、４３…配管流路、４４…高温加熱部、４５…高温加熱装置、４６ａ，４６ｂ，４６ｃ…高温加熱装置、４７…高温加熱装置。
【図１】
0003704425.tif 000002
【図２】
0003704425.tif 000003
【図３】
0003704425.tif 000004
【図４】
0003704425.tif 000005
【図５】
0003704425.tif 000006
【図６】
0003704425.tif 000007